(57)【要約】【課題】測定対象の膜の膜厚を、膜面の撮像画像に基づいて面測定できる膜厚測定方法と装置を提供する。【解決手段】発光スペクトル幅の狭い光源を使用する反射照明により測定対象の膜を撮像して反射画像を得る反射画像撮像過程と、前記反射画像から膜厚が等しい領域の面分布である等厚分布を演算する等厚分布演算過程と、透過照明により前記膜を撮像して透過画像を得る透過画像撮像過程と、前記透過画像から前記膜の厚薄の面分布である厚薄分布を演算する厚薄分布演算過程と、前記等厚分布と前記厚薄分布に基づいて膜厚分布を演算する膜厚分布演算過程とを有するようにした膜厚測定方法、およびその方法を適用した膜厚測定装置。【選択図】      図１
2005221401.tif 000002
【特許請求の範囲】
【請求項１】
発光スペクトル幅の狭い光源を使用する反射照明により測定対象の膜を撮像して反射画像を得る反射画像撮像過程と、
前記反射画像から膜厚が等しい領域の面分布である等厚分布を演算する等厚分布演算過程と、
透過照明により前記膜を撮像して透過画像を得る透過画像撮像過程と、
前記透過画像から前記膜の厚薄の面分布である厚薄分布を演算する厚薄分布演算過程と、
前記等厚分布と前記厚薄分布に基づいて膜厚分布を演算する膜厚分布演算過程と、
を有することを特徴とする膜厚測定方法。
【請求項２】
請求項１記載の膜厚測定方法において、前記反射照明には前記膜による光吸収率の小さい波長の光を使用し、前記透過照明には前記膜による光吸収率の大きい波長の光または補色光を使用することを特徴とする膜厚測定方法。
【請求項３】
請求項１または２記載の膜厚測定方法において、前記等厚分布演算過程は前記反射画像における干渉縞の明暗の変化を前記反射照明光の半波長とみなして半波長単位の前記等厚分布を演算する過程であり、前記厚薄分布演算過程は前記透過画像における明暗が前記膜の厚薄の関数となることから前記厚薄分布を演算する過程であることを特徴とする膜厚測定方法。
【請求項４】
請求項１〜３のいずれかに記載の膜厚測定方法において、前記膜の面内の１点において測定した前記膜厚の絶対値に基づいて前記面分布としての前記膜厚の絶対値である膜厚絶対値分布を演算する膜厚絶対値分布演算過程を有することを特徴とする膜厚測定方法。
【請求項５】
請求項１〜３のいずれかに記載の膜厚測定方法において、前記測定対象の前記膜が形成されていない領域を基準として、前記面分布としての前記膜厚の絶対値である膜厚絶対値分布を演算する膜厚絶対値分布演算過程を有することを特徴とする膜厚測定方法。
【請求項６】
請求項１〜５のいずれかに記載の膜厚測定方法において、前記反射照明の光源に白色光を使用し、前記膜の透過率が高い波長領域を透過するバンドパスフィルターを介して前記反射画像の前記撮像を行うことを特徴とする膜厚測定方法。
【請求項７】
請求項１〜５のいずれかに記載の膜厚測定方法において、前記透過照明の光源に白色光を使用し、前記膜による光吸収率の大きい波長の光または補色光だけを透過するバンドパスフィルターを介して前記透過画像の前記撮像を行うことを特徴とする膜厚測定方法。
【請求項８】
請求項６または７記載の膜厚測定方法において、前記白色光は三波長蛍光管を光源として使用し、前記反射画像の撮像に使用するバンドパスフィルターは前記三波長の各々における発光波長のピークを透過するバンドパスフィルターであることを特徴とする膜厚測定方法。
【請求項９】
請求項６〜８のいずれかに記載の膜厚測定方法において、短波長カットフィルターを使用して前記光源の短波長領域をカットすることを特徴とする膜厚測定方法。
【請求項１０】
発光スペクトル幅の狭い光源を使用する反射照明により測定対象の膜を撮像して反射画像を得る反射画像撮像手段と、
前記反射画像から膜厚が等しい領域の面分布である等厚分布を演算する等厚分布演算手段と、
透過照明により前記膜を撮像して透過画像を得る透過画像撮像手段と、
前記透過画像から前記膜の厚薄の面分布である厚薄分布を演算する厚薄分布演算手段と、
前記等厚分布と前記厚薄分布に基づいて膜厚分布を演算する膜厚分布演算手段と、
を具備することを特徴とする膜厚測定装置。
【発明の詳細な説明】
【技術分野】
【０００１】
本発明は、液晶カラー表示装置に使用されるカラーフィルタ、ＣＣＤカメラに使用される色分解フィルター、等のカラーフィルター着色膜の膜厚を測定する技術分野に属する。特に、反射と透過による撮像画像における干渉縞と透過率の面分布に基づいて膜厚分布を演算する膜厚測定方法および装置に関する。
【背景技術】
【０００２】
たとえば、液晶カラーフィルターは、ガラス上にブラックマトリックスやＲＧＢ層がコーティングされた構造となっている。その中のＲＧＢ層はスピンコートやダイコート等で塗布した後、フォトリソグラフィー技術を適用したパターニングという工程において形成される。このＲＧＢ層の膜厚を管理することは、カラーフィルターに必要な光学性能を確保する上で重要である。
【０００３】
目視で膜厚を検査するときには、低圧ナトリウムランプまたはメタルハライドランプに緑フィルターを組み合わせたもの等、スペクトル幅の狭い照明を膜に照射する際に生じる干渉縞を利用することが行われている。干渉縞は膜厚の分布に応じて等高線状に観察される（図１０参照）。また、液晶ディスプレイのバックライトは白色光であるため、白色光の透過照明による目視検査も行われている。膜厚により透過光量が変化するため透過光量のムラとして観察することができる。
【０００４】
膜厚不良の原因のほとんどは、スピンコートやダイコート等を使用する塗布工程において発生する塗布ムラである。塗布ムラが発生したときには塗布条件を変更する等により発生しないようにすることができる。したがって、塗布直後の早い段階で膜厚不良を発見し適切に対処することが材料や時間の損失を最小限とするために重要である。塗布直後に膜厚不良を発見するためには、膜厚不良を監視する装置を自動化して検査能率を高め、コーターの直後にインラインで設置するのが良い。
【０００５】
膜厚の測定を自動で行う装置の提案は多数存在する。たとえば、分光干渉法を適用した装置がある。分光干渉法は、測定対象の膜の所定波長域における透過光量を、分光器を使用して測定して得たスペクトラムに基づいて膜厚を演算する方法である。そのスペクトラムには膜の表裏面で反射した光の干渉による極大極小の波形が表れる。この極大極小における波長の間隔から膜厚が演算される（特許文献１参照）。
【特許文献１】特開２００２−３１８１０６号公報
【０００６】
しかしながら、このような装置においては、測定箇所は１点であるため、塗布ムラを検査するためには膜面の複数箇所を測定しなければならない。そのため、複数箇所を同時測定しようとすれば装置が大掛かりとなり、測定箇所を変えながら測定しようとすれば時間が掛かり過ぎるという問題がある。
【発明の開示】
【発明が解決しようとする課題】
【０００７】
本発明の目的は、測定対象の膜の膜厚を、膜面の撮像画像に基づいて面測定できる膜厚測定方法と装置を提供することにある。
【課題を解決するための手段】
【０００８】
本発明の請求項１に係る膜厚測定方法は、発光スペクトル幅の狭い光源を使用する反射照明により測定対象の膜を撮像して反射画像を得る反射画像撮像過程と、前記反射画像から膜厚が等しい領域の面分布である等厚分布を演算する等厚分布演算過程と、透過照明により前記膜を撮像して透過画像を得る透過画像撮像過程と、前記透過画像から前記膜の厚薄の面分布である厚薄分布を演算する厚薄分布演算過程と、前記等厚分布と前記厚薄分布に基づいて膜厚分布を演算する膜厚分布演算過程とを有するようにしたものである。
また本発明の請求項２に係る膜厚測定方法は、請求項１に係る膜厚測定方法において、前記反射照明には前記膜による光吸収率の小さい波長の光を使用し、前記透過照明には前記膜による光吸収率の大きい波長の光または補色光を使用するようにしたものである。
また本発明の請求項３に係る膜厚測定方法は、請求項１または２に係る膜厚測定方法において、前記等厚分布演算過程は前記反射画像における干渉縞の明暗の変化を前記反射照明光の半波長とみなして半波長単位の前記等厚分布を演算する過程であり、前記厚薄分布演算過程は前記透過画像における明暗が前記膜の厚薄の関数となることから前記厚薄分布を演算するようにしたものである。
また本発明の請求項４に係る膜厚測定方法は、請求項１〜３のいずれかに係る膜厚測定方法において、前記膜の面内の１点において測定した前記膜厚の絶対値に基づいて前記面分布としての前記膜厚の絶対値である膜厚絶対値分布を演算する膜厚絶対値分布演算過程を有するようにしたものである。
また本発明の請求項５に係る膜厚測定方法は、請求項１〜３のいずれかに係る膜厚測定方法において、前記測定対象の前記膜が形成されていない領域を基準として、前記面分布としての前記膜厚の絶対値である膜厚絶対値分布を演算する膜厚絶対値分布演算過程を有するようにしたものである。
また本発明の請求項６に係る膜厚測定方法は、請求項１〜５のいずれかに係る膜厚測定方法において、前記反射照明の光源に白色光を使用し、前記膜の透過率が高い波長領域を透過するバンドパスフィルターを介して前記反射画像の前記撮像を行うようにしたものである。
また本発明の請求項７に係る膜厚測定方法は、請求項１〜５のいずれかに記載の膜厚測定方法において、前記透過照明の光源に白色光を使用し、前記膜による光吸収率の大きい波長の光または補色光だけを透過するバンドパスフィルターを介して前記透過画像の前記撮像を行うようにしたものである。
また本発明の請求項８に係る膜厚測定方法は、請求項６または７に係る膜厚測定方法において、前記白色光は三波長蛍光管を光源として使用し、前記反射画像の撮像に使用するバンドパスフィルターは前記三波長の各々における発光波長のピークを透過するバンドパスフィルターであるようにしたものである。
また本発明の請求項９に係る膜厚測定方法は、請求項６〜8のいずれかに係る膜厚測定方法において、短波長カットフィルターを使用して前記光源の短波長領域をカットするようにしたものである。
また本発明の請求項１０に係る膜厚測定装置は、発光スペクトル幅の狭い光源を使用する反射照明により測定対象の膜を撮像して反射画像を得る反射画像撮像手段と、前記反射画像から膜厚が等しい領域の面分布である等厚分布を演算する等厚分布演算手段と、透過照明により前記膜を撮像して透過画像を得る透過画像撮像手段と、前記透過画像から前記膜の厚薄の面分布である厚薄分布を演算する厚薄分布演算手段と、前記等厚分布と前記厚薄分布に基づいて膜厚分布を演算する膜厚分布演算手段とを具備するようにしたものである。
【発明の効果】
【０００９】
本発明の請求項１に係る膜厚測定方法によれば、発光スペクトル幅の狭い光源を使用する反射照明にる撮像画像から等厚分布が演算され、透過照明による撮像画像から厚薄分布が演算され、それら等厚分布と厚薄分布に基づいて膜厚分布が演算される。すなわち等厚分布により分布における差分が解り、厚薄分布により分布の傾向（差分の正負）が解るから、演算により膜厚分布が解る。したがって、測定対象の膜の膜厚を、膜面の撮像画像に基づいて面測定できる膜厚測定方法が提供される。
また本発明の請求項２に係る膜厚測定方法によれば、反射照明には膜による光吸収率の小さい波長の光が使用され、透過照明には膜による光吸収率の大きい波長の光または補色光が使用される。したがって、高いコントラストの画像が得られるからＳ／Ｎの良い測定を行うことができる。
また本発明の請求項３に係る膜厚測定方法によれば、反射画像における干渉縞の明暗の変化を反射照明光の半波長とみなして半波長単位の等厚分布が演算され、透過画像における明暗が膜の厚薄の関数（単調関数）となることから厚薄分布が演算される。したがって、演算が簡易化されるから高い処理速度が得られる。
また本発明の請求項４に係る膜厚測定方法によれば、膜の面内の１点において測定した膜厚の絶対値に基づいて面分布としての膜厚の絶対値である膜厚絶対値分布が演算される。したがって、1点を絶対値測定すれば膜厚絶対値分布が得られる。
また本発明の請求項５に係る膜厚測定方法によれば、測定対象の膜が形成されていない領域を基準として、面分布としての膜厚の絶対値である膜厚絶対値分布が演算される。したがって、膜の無い領域を絶対値測定すれば膜厚絶対値分布が得られる。
また本発明の請求項６に係る膜厚測定方法によれば、反射照明の光源に白色光が使用され、膜の透過率が高い波長領域を透過するバンドパスフィルターを介して反射画像の撮像が行われる。したがって、バンドパスフィルターを交換するだけで膜色に適合する反射画像が得られる。
また本発明の請求項７に係る膜厚測定方法によれば、透過照明の光源に白色光を使用し、膜による光吸収率の大きい波長の光または補色光だけを透過するバンドパスフィルターを介して透過画像の撮像が行われる。したがって、バンドパスフィルターを交換するだけで膜色に適合する透過画像が得られる。
また本発明の請求項８に係る膜厚測定方法によれば、白色光は三波長蛍光管が光源として使用され、反射画像の撮像に使用するバンドパスフィルターは三波長の各々における発光波長のピークを透過するバンドパスフィルターである。したがって、光の利用効率が良くなるため高い測定精度が得られる。
また本発明の請求項９に係る膜厚測定方法によれば、短波長カットフィルターが使用されて光源の短波長領域がカットされる。したがって、光源の光によるカラーレジストの感光を防ぐことができる。
また本発明の請求項１０に係る膜厚測定装置によれば、発光スペクトル幅の狭い光源を使用する反射照明にる撮像画像から等厚分布が演算され、透過照明による撮像画像から厚薄分布が演算され、それら等厚分布と厚薄分布に基づいて膜厚分布が演算される。すなわち等厚分布により分布における差分が解り、厚薄分布により分布の傾向（差分の正負）が解るから、演算により膜厚分布が解る。したがって、測定対象の膜の膜厚を、膜面の撮像画像に基づいて面測定できる膜厚測定装置が提供される。
【発明を実施するための最良の形態】
【００１０】
本発明の膜厚測定方法と膜厚測定装置の構成と動作について図１、図２を参照して説明する。図１に示すように、本発明の膜厚測定装置は反射照明撮像部１、透過照明撮像部２、膜厚測定部３、メインＰＣ４を有する。メインＰＣ４は、パーソナルコンピュータ等のデータ処理装置であって、反射照明撮像部１、透過照明撮像部２、膜厚測定部３とのデータ通信を行う機能と、入力したデータを処理する機能を有する。勿論、その機能はデータ処理装置のハードウェアとソフトウェアによって実現される。図１における矢印は測定対象の搬送方向を示している。すなわち、測定対象は反射照明撮像部１、透過照明撮像部２、膜厚測定部３の順番に各々の箇所で各々の測定項目について測定が行われる。そして、それらの測定によって得られたデータはメインＰＣ４によって入力が行われる。
【００１１】
図２は、その測定の過程を示すフロー図である。まず、ステップＳ１において、測定対象は反射照明撮像部１に搬送される。反射照明撮像部１は、発光スペクトル幅の狭い光源を使用する反射照明によりその測定対象の膜を撮像して反射画像を得る。その反射画像はメインＰＣ４によって入力される。
次に、ステップＳ２において、測定対象は透過照明撮像部２に搬送される。透過照明撮像部２は透過照明によりその測定対象の膜を撮像して透過画像を得る。その透過画像はメインＰＣ４に入力される。
により撮像画像を
次に、ステップＳ３において、測定対象は膜厚測定部３に搬送される。膜厚測定部３はその測定対象の膜を膜面における所定の箇所（微小領域）において測定した膜厚を得る。その膜厚はメインＰＣ４に入力される。
【００１２】
次に、ステップＳ４において、メインＰＣ４は入力した反射画像から膜厚が等しい領域の面分布である等厚分布を演算する等厚分布演算処理を行う。また、メインＰＣ４は入力した透過画像から膜の厚薄の面分布である厚薄分布を演算する厚薄分布演算処理を行う。また、メインＰＣ４はそれら等厚分布と厚薄分布に基づいて膜厚分布を演算する膜厚分布演算処理を行う。また、メインＰＣ４はその膜厚分布と入力した膜厚の絶対値に基づいて面分布としての膜厚の絶対値である膜厚絶対値分布を演算する膜厚絶対値分布演算処理を行う。
次に、ステップＳ５において、メインＰＣ４はその膜厚絶対値分布が許容範囲内であるか否かによって測定対象が良品であるか否かを判定する不良判定処理を行う。
【００１３】
以上、本発明の膜厚測定方法と膜厚測定装置の構成と動作について全体像を説明した。次に、図１に示す膜厚測定装置の構成における個々の部分についてさらに詳しく説明する。本発明の膜厚測定装置における反射照明撮像部１の構成の一例を図３、図４に示す。図３は反射照明撮像部１の構成を絵図として示す図である。図４は反射照明撮像部１の構成をブロック図として示す図である。図３、図４において、１１はラインセンサ、１２は駆動装置、１３は高周波点灯電源、１４は低圧ナトリウムランプ、１５はコロコンベヤ、１６はシーケンサ、１７はＰＣ、１８はディスプレイ、１００は測定対象である。
【００１４】
ラインセンサ１１、駆動装置１２、結像レンズ、等からラインセンサカメラが構成される。ラインセンサ１１は受光素子を一次元に配列したセンサでありＣＣＤ（charge coupled device）、ＭＯＳ（metal oxide semiconductor）等の半導体集積回路で構成される。ラインセンサ１１は駆動装置１２によって駆動されており、ラインセンサ１１からは信号増幅器を通してライン形状の撮像領域における明暗（輝度）に対応する撮像信号がＰＣ１７に対して出力される。また、駆動装置１２からは走査開始、駆動クロック、等の同期信号がラインセンサ１１に対して出力される。
【００１５】
高周波点灯電源１３は低圧ナトリウムランプ１４に電力を供給して点灯させるための電源である。高周波点灯電源１３はＰＣ１７によって電力供給（オンオフ、電圧値、電流値、等）が操作される。低圧ナトリウムランプ１４は反射照明に適用される発光スペクトル幅の狭い光源である。高周波点灯電源１３は高周波の交流電源であるため低圧ナトリウムランプ１４の輝度は安定化される。これによりラインセンサカメラの撮像信号は光源による変調を受けず、測定対象１００の反射特性だけを反映する。ラインセンサカメラの線状の撮像領域を均一に照明するために、低圧ナトリウムランプ１４の形状は直管形状のものが好適である。
なお、低圧ナトリウムランプ１４は一例である。一般的には、反射照明には膜による光吸収率の小さい波長の光を使用する。光源の発光スペクトルの幅が広いときにはナローバンドパスフィルターを併用すると好適である。
【００１６】
コロコンベヤ１５は測定対象１００を搬送するためのコロコンベヤである。シーケンサ１６はコロコンベヤ１５の制御装置である。その制御によって、たとえば、コロコンベヤ１５が測定対象１００を搬送する速度は、測定対象１００が反射照明撮像部１に送給されるとき、反射照明撮像部１において撮像が行われるとき、反射照明撮像部１から排出されるとき、等において適正な速度とすることができる。シーケンサ１６はＰＣ１７に対して制御状況（たとえば、搬送距離、搬送速度、等）を出力するとともに、測定対象１００の種類に対応して制御プログラムを設定変更する司令をＰＣ１７から入力する。
【００１７】
ＰＣ１７はパーソナルコンピュータ等のデータ処理装置である。ディスプレイ１８はＰＣ１７のディスプレイである。ＰＣ１７には画像入力ボードが実装されており、画像入力ボードは上述したラインセンサカメラの撮像信号と同期信号を入力し、同期信号と同期させながら撮像信号をＡ／Ｄ（analog to digital）変換してバッファメモリに記憶する。一時的に画像入力ボードのバッファメモリに記憶されているデータはＰＣ１７にデータ転送され、通常はＰＣ１７のＲＡＭ（メインメモリ）等に反射画像として記憶される。さらに、ＰＣ１７はメインＰＣ４にその反射画像をデータ転送する。
【００１８】
反射画像の撮像は、ラインセンサカメラによる主走査と測定対象１００の搬送による副走査によって行われる。主走査方向と副走査方向とは普通はほぼ直角とする。したがって、主走査の同期だけでなく副走査の同期も取った上でバッファメモリへ記憶する必要性がある。たとえば、コロコンベヤ１５による測定対象１００の搬送速度に応じた所定時間間隔でバッファメモリへの記憶を行う。またはコロコンベヤ１５の駆動軸等に取付けたロータリーエンコーダの出力信号から測定対象１００の搬送量を検出して副走査の同期を取ることができる。またはコロコンベヤ１５の駆動にパルスモータを使用し、その駆動パルスから測定対象１００の搬送量を検出して副走査の同期を取ることができる。
【００１９】
以上の構成において、次に反射照明撮像部１における動作について説明する。測定対象１００はシーケンサ１６によって制御されたコンベヤ１５によって搬送されラインセンサカメラの撮像領域に達する。測定対象１００が撮像領域に達したことは、光電センサ等（図示せず）により検出する。この検出信号を入力してＰＣ１７は撮像を開始する。またこの検出信号を入力してシーケンサ１６はコンベヤ１５を速度制御し検出後における適正な搬送とする。測定対象１００は、すくなくとも撮像領域において高周波点灯電源１３から電力供給を受ける低圧ナトリウムランプ１４によって照明が行われている。その結果、結像レンズを通してラインセンサ１１に光像が結像している。
【００２０】
撮像を開始したラインセンサ１１は駆動装置１２によって駆動され１ライン分の主走査を行い、その光像の１ライン分が電気信号に変換される。測定対象１００の搬送による副走査と同期する所定の主走査による１ライン分の電気信号は、ＰＣ１７の画像入力ボードにおいてＡ／Ｄ変換される。そのＡ／Ｄ変換によって得られたデジタル信号は画像入力ボードのバッファメモリに記憶される。その同期した撮像過程は、測定対象１００がコンベヤ１５によって搬送されラインセンサカメラの撮像領域の外に出るまで繰り返される。そして、その繰返しによる複数ライン分のデジタル信号が順次バッファメモリに追加記憶され、バッファメモリには画像が記憶されることになる。測定対象１００が撮像領域の外に出たことは、前述の光電センサ等により検出される。
【００２１】
撮像過程が終了するとバッファメモリには測定対象１００の反射画像が記憶されているから、ＰＣ１７はその反射画像を読み取ってメインＰＣ４にデータ転送する。反射照明に適用される低圧ナトリウムランプ１４は発光スペクトル幅が狭い光源であるから、測定対象１００に形成された膜の一方の界面で反射した光と他方の界面で反射した光は干渉する。したがって反射画像としては等膜厚の箇所を示す干渉縞の画像（図１０参照）が得られることになる。
【００２２】
以上、本発明の膜厚測定装置における反射照明撮像部１の構成について説明した。次に、透過照明撮像部２について説明する。本発明の膜厚測定装置における透過照明撮像部２の構成の一例を図５、図６に示す。図５は透過照明撮像部２の構成を絵図として示す図である。図６は透過照明撮像部２の構成をブロック図として示す図である。図５、図６において、２１はラインセンサ、２２は駆動装置、２３は高周波点灯電源、２４は蛍光灯、２５はコロコンベヤ、２６はシーケンサ、２７はＰＣ、２８はディスプレイ、２９はシアンフィルター、１００は測定対象である。
【００２３】
ラインセンサ２１はラインセンサ１１と、駆動装置２２は駆動装置１２と、コロコンベヤ２５はコロコンベヤ１５と、シーケンサ２６はシーケンサ１６と、ＰＣ２７はＰＣ１７と、ディスプレイ２８はディスプレイ１８と同様であるから説明を省略する。
【００２４】
高周波点灯電源２３は蛍光灯２４に電力を供給して点灯させるための電源である。高周波点灯電源２３はＰＣ２７によって電力供給（オンオフ、電圧値、電流値、等）が操作される。蛍光灯２４は透過照明に適用される高輝度・高演色性の三波長管である。三波長管は発光スペクトラムのピークがＲＧＢ（red,green,blue）の三波長に存在する。高周波点灯電源２３は高周波の交流電源であるため蛍光灯２４の輝度は蛍光材料の残光特性等により安定化される。これによりラインセンサカメラの撮像信号は不安定な光源に起因する変調を受けることがなくなり、測定対象１００の透過特性だけを反映する。ラインセンサカメラの線状の撮像領域を均一に照明するために、蛍光灯２４の形状は直管形状のものが好適である。
なお、蛍光灯２４は一例である。一般的には、透過照明には膜による光吸収率の大きい波長の光または補色光を使用する。光源の発光スペクトルの幅が広いときには補色フィルターを併用すると好適である。
【００２５】
シアンフィルターはＲ（red）色に対する補色フィルターである。したがって、測定対象１００の膜がＲ色ときにシアンフィルターを介して撮像することにより高いコントラストで濃淡を撮像することができる。図５に示すシアンフィルターは一例であって、測定対象１００の膜がＧ（green）色のときにはマゼンタフィルターを介して、測定対象１００の膜がＢ（blue）色のときにイエローフィルターを介して撮像することにより高いコントラストで濃淡を撮像することができる。
【００２６】
補色フィルターを使用する代わりに、透過光源の発光色を測定対象１００の膜による光吸収率の大きい波長の光または補色に合わせてもよい。すなわち、測定対象１００の膜がＲ色のときには発光色がＧ色および／またはＢ色の透過光源を適用し、測定対象１００の膜がＧ色のときには発光色がＢ色および／またはＲ色の透過光源を適用し、測定対象１００の膜がＢ色のときには発光色がＲ色および／またはＧ色の透過光源を適用して撮像することにより高いコントラストで濃淡を撮像することができる。
【００２７】
以上の構成において、次に透過照明撮像部２における動作について説明する。測定対象１００はシーケンサ２６によって制御されたコンベヤ２５によって搬送されラインセンサカメラの撮像領域に達する。測定対象１００が撮像領域に達したことは、光電センサ等（図示せず）により検出する。この検出信号を入力してＰＣ２７は撮像を開始する。またこの検出信号を入力してシーケンサ２６はコンベヤ２５を速度制御し検出後における適正な搬送とする。測定対象１００は、すくなくとも撮像領域において高周波点灯電源２３から電力供給を受ける蛍光灯２４によって照明が行われている。その結果、シアンフィルター２９と結像レンズを通してラインセンサ２１に光像が結像している。
【００２８】
撮像を開始したラインセンサ２１は駆動装置２２によって駆動され１ライン分の主走査を行い、その光像の１ライン分が電気信号に変換される。測定対象１００の搬送による副走査と同期する所定の主走査による１ライン分の電気信号は、ＰＣ２７の画像入力ボードにおいてＡ／Ｄ変換される。そのＡ／Ｄ変換によって得られたデジタル信号は画像入力ボードのバッファメモリに記憶される。その同期した撮像過程は、測定対象１００がコンベヤ２５によって搬送されラインセンサカメラの撮像領域の外に出るまで繰り返される。そして、その繰返しによる複数ライン分のデジタル信号が順次バッファメモリに追加記憶され、バッファメモリには画像が記憶されることになる。測定対象１００が撮像領域の外に出たことは、前述の光電センサ等により検出される。
【００２９】
撮像過程が終了するとバッファメモリには測定対象１００の透過画像が記憶されているから、ＰＣ２７はその透過画像を読み取ってメインＰＣ４にデータ転送する。透過照明に測定対象１００の膜によって吸収される波長の光源が適用されるか、またはＲＧＢ三波長の光源に膜の補色フィルターを介するかの方法で撮像が行われる。すなわち、測定対象１００に形成された膜によって吸収されず、透過された光によって撮像が行われる。したがって、膜の領域によって透過率の面分布が存在すれば、透過画像としては透過率の大小によって決まる濃淡画像（後述する図１２参照）が得られることになる。透過率の面分布は、測定対象１００の膜における膜厚の面分布を反映している。
【００３０】
以上、本発明の膜厚測定装置における透過照明撮像部２の構成について説明した。次に、膜厚測定部３について説明する。本発明の膜厚測定装置における膜厚測定部３の構成の一例を図７、図８に示す。図７は膜厚測定部３の構成を絵図として示す図である。図８は膜厚測定部３の構成をブロック図として示す図である。図７、図８において、３１は膜厚測定ヘッド、３２は膜厚測定器本体、３５はコロコンベヤ、３６はシーケンサ、３７はＰＣ、３８はディスプレイ、１００は測定対象である。
【００３１】
膜厚測定ヘッド３１は測定対象１００の一箇所（スポット）の膜厚を測定するための膜厚測定ヘッドである。たとえば光学干渉膜厚計、単一波長エリプソメータ、分光波長エリプソメータ、等の方式による周知の膜厚測定ヘッドを適用することができる。図７においては投光受光一体型で示してあるが、投光受光分離型であってもよい。
膜厚測定器本体３２は膜厚測定ヘッド３１に対しては所定の動作をさせる出力と膜厚測定ヘッド３１からの測定情報を入力する。また膜厚測定器本体３２はＰＣ３７に対しては、そのインターフェースを介してＰＣ３７による測定動作の制御入力と測定情報を電気量として出力する。
膜厚測定ヘッド３１と膜厚測定器本体３２は、図に示すように、それらの複数個を並べ複数箇所を測定することにより適正な膜厚測定が行えるように構成することができる。
【００３２】
以上の構成において、次に膜厚測定部の動作について説明する。測定対象１００はシーケンサ３６によって制御されたコンベヤ３５によって搬送され膜厚測定ヘッド３１の測定箇所（スポット）に達する。測定対象１００が測定箇所に達したことは、光電センサ等（図示せず）により検出する。この検出信号を入力してシーケンサ３６はコンベヤ３５を速度制御し、測定すべき測定対象１００の被測定箇所と膜厚測定ヘッド３１の測定箇所とが一致するところでコンベヤ３５を停止させる。シーケンサ３６からその停止信号を入力してＰＣ３７は膜厚測定を開始する制御出力を行う。
【００３３】
ＰＣ３７の制御下において膜厚測定器本体３２と膜厚測定ヘッド３１は膜厚測定のために一連の動作を行い、膜厚測定器本体３２はＰＣ３７に対して測定情報を電気量として出力する。ＰＣ３７はその測定情報を入力して膜厚を演算する。ＰＣ３７はその膜厚をＰＣ４にデータ転送する。シーケンサ３６はＰＣ３７から膜厚測定の終了信号を入力する。そしてシーケンサ３６はコンベヤ３５を所定の速度で動作させ、測定対象１００を搬送する。
【００３４】
以上、本発明の膜厚測定装置における膜厚測定部３の構成について説明した。次に、前述した膜厚測定装置の構成における変形例について説明する。本発明の膜厚測定装置における反射照明撮像部１と透過照明撮像部２を統合した変形例を図９に示す。図９において、４１ａ，４１ｂはラインセンサ、４４１は白色蛍光灯、４４２は短波長カットフィルタ（感光防止）、４５はコロコンベヤ、４７はＰＣ、４８はディスプレイ、４９ａはレッドバンドパスフィルター、４９ｂはシアンフィルター、１００は測定対象である。
【００３５】
図９における反射照明撮像部１は、ラインセンサ４１ａ、白色蛍光灯４４１、短波長カットフィルタ４４２、コロコンベヤ４５、ＰＣ４７、ディスプレイ４８、レッドバンドパスフィルター４９ａを備える。図３と図９における反射照明撮像部１は、ラインセンサ４１ａとラインセンサ１１、コロコンベヤ４５とコロコンベヤ１５、ＰＣ４７とＰＣ１７、ディスプレイ４８とディスプレイ１８が対応し、構成、配置、動作、等においても共通している。
【００３６】
そして、低圧ナトリウムランプに代えて短波長カットフィルタ４４２付の白色蛍光灯４４１を配置したことと、レッドバンドパスフィルター４９ａをラインセンサ４１ａにおける撮像光学系の前に配置したことで相違している。レッドバンドパスフィルター４９ａは測定対象１００の膜において生じる干渉縞を撮像することができるような幅の狭いナローバンドフィルターである。これにより低圧ナトリウムランプに代わる干渉縞を撮像するための撮像光学系が得られる。レッドバンドパスフィルター４９ａは一例である。一般的には、測定対象１００の膜の色に合わせて、膜に対する光透過率の高い色の光を通過させるバンドフィルターを適用する。
【００３７】
図９における透過照明撮像部２は、ラインセンサ４１ｂ、白色蛍光灯４４１、短波長カットフィルタ４４２、コロコンベヤ４５、ＰＣ４７、ディスプレイ４８、シアンフィルター４９ｂを備える。図５と図９における透過照明撮像部１は、ラインセンサ４１ｂとラインセンサ２１、白色蛍光灯４４１と白色蛍光灯２４１、短波長カットフィルタ４４２と短波長カットフィルタ２４２、コロコンベヤ４５とコロコンベヤ２５、ＰＣ４７とＰＣ２７、ディスプレイ４８とディスプレイ２８が対応し、構成、動作、等においても共通している。
【００３８】
ただし、図５と図９における透過照明撮像部２の部分を比較すると明らかなように、配置においては、測定対象１００の表面に対して対称となっている。すなわち、図５においては、白色蛍光灯２４１はコロコンベヤ２５の下方に配置されラインセンサ２１はコロコンベヤ２５の上方に配置されている。これに対し、図９においては、白色蛍光灯２４１はコロコンベヤ２５の上方に配置されラインセンサ２１はコロコンベヤ２５の下方に配置されている。ラインセンサ２１はコロコンベヤ２５のコロとコロの間から測定対象１００を覗くように配置される。
【００３９】
膜厚測定装置における反射照明撮像部１と透過照明撮像部２を統合した図９に示す変形例における動作は、前述の反射照明撮像部１における動作と前述の透過照明撮像部２における動作が同時進行する動作となる。すなわち、測定対象１００がコロコンベヤ２５によって搬送され、反射照明撮像部１と透過照明撮像部２の各々の撮像領域を一回だけ通過することによって反射画像と透過画像とを得ることができる。それら反射画像と透過画像はＰＣ４にデータ転送される。
【００４０】
以上、膜厚測定装置の構成における変形例について説明した。次に、メインＰＣ４について説明する。本発明の膜厚測定装置におけるメインＰＣにおいて行われるデータ処理について図を参照して説明する。反射画像（反射照明撮像部入力画像）の干渉縞から明部と暗部を抽出する処理の説明図を図１０に示す。また反射画像の干渉縞における輝度から膜厚変化量を算出する処理の説明図を図１１に示す。また透過画像（透過照明撮像部入力画像）における膜厚最大箇所を算出する処理の説明図を図１２に示す。また透過画像における膜厚分布を算出する処理の説明図を図１３〜図１９に示す。
【００４１】
反射画像の干渉縞から明部と暗部を抽出する処理について図１０を参照して説明する。ＰＣ４は反射照明撮像部１から反射画像を入力する。入力したままの反射画像は濃淡を有する多値画像である。図１０には反射画像の模式図を示してある。反射画像には後述する閾値よりも暗い領域、閾値よりも明るい領域、膜以外の領域が存在する。
まず図１０のステップＳ１１において、入力した反射画像について前処理を行う。前処理は入力した反射画像に含まれている照明ムラ、撮像光学系におけるシェーディング等を補正し反射画像における画素値の最大値最小値を所定の値に規格化（正規化）する処理である。
【００４２】
次に、ステップＳ１２において、膜以外の箇所をマスクする処理、すなわち以降の画像処理の対象領域から外す処理を行う。一例として示した模式図においては空白で示した周辺部分がマスクする部分である。
次に、ステップＳ１３において、閾値を決定する。たとえば画素値（輝度に対応する）の最大値と最小値から平均値を演算しその平均値を閾値とする。条件によっては頻度分布から閾値を決める方法、中央値を閾値とする方法、等のその他の方法で閾値を決定してもよい。
【００４３】
次に、ステップＳ１４において、閾値を適用して濃淡画像を２値化し、２値化反射画像を得る。２値化反射画像においては画素値が“０”の部分と“１”の部分が存在する。隣り合う画素の画素値が同一である画素の集合を１つの領域としてラベリングを行う。模式図においては明暗のリングパターンの各々は閉じた領域を形成し、その領域の各々についてラベリングを行う。すなわち、その閉じた領域に含まれるすべての画素に対して、その画素の属性値としてラベリングにおけるＩＤ番号を付与する処理を行う。
【００４４】
以上、反射画像の干渉縞から明部と暗部を抽出する処理について説明した。次に、反射画像の干渉縞における輝度から膜厚変化量を算出する処理について図１１を参照して説明する。図１１には膜の一方の面が大気と接触し、他方の面が基材と接触している一例が絵図として示されている。Ｔを膜厚、λを照明光の波長、ｎを膜の屈折率、θを入射角、θ'を屈折角とする。また、基材の屈折率が膜の屈折率より小さい場合にｍ＝１，２，３、・・・、基材の屈折率が膜の屈折率より大きい場合にｍ＝１／２，３／２，５／２、・・・、とする係数ｍを導入する。
このとき大気と膜との境界面における反射光と膜と基材との境界面における反射光が干渉して強め合う条件は、(２ｎＴ／cosθ'）＝ｍλ、θ'＝sin-1（（sinθ）／ｎ）、の２つの数式が成立する条件である。
【００４５】
また、輝度が最大値から最小値へ変化した際の光路長の変化はλ／２である。
したがって、輝度が一階調（画素値が１つ）変化するときの膜厚変化量をδｔとすると、δｔ＝λ／（２Ａ）＝ｎＴ／（Ａcosθ'）、Ａ＝（輝度最大画素値−輝度最小画素値）、となる。
なお、ここでは、輝度の変化に対する膜厚の変化は線形近似としたが、必要な精度が得られないときには数値計算により、輝度の変化を膜厚の変化に換算するルックアップテーブルを作成しておき、それを参照して輝度から膜厚を求めるようにする。
【００４６】
以上、反射画像の干渉縞における輝度から膜厚変化量を算出する処理について説明した。次に、透過画像における膜厚最大箇所を算出する処理について図１２を参照して説明する。ＰＣ４は透過照明撮像部２から透過画像を入力する。入力したままの反射画像は連続的に濃淡が変化する多値画像である。図１２には透過画像の模式図を示してある。透過画像には膜における暗い領域、明るい領域、膜以外の領域が存在する。
まず図１２のステップＳ２１において、入力した透過画像について前処理を行う。前処理は入力した透過画像に含まれている照明ムラ、撮像光学系におけるシェーディング等を補正する処理である。
【００４７】
次に、ステップＳ２２において、膜以外の箇所をマスクする処理、すなわち以降の画像処理の対象領域から外す処理を行う。一例としてしました模式図においては空白で示した周辺部分がマスクする部分である。
次に、ステップＳ２３において、輝度が最小である（画素値が最小の）画素の位置を算出する。この画素の位置を膜厚が最も厚い位置であるとみなす。
【００４８】
以上、透過画像における膜厚最大箇所を算出する処理について説明した。次に、透過画像における膜厚分布を算出する処理について図１３〜図１９を参照して説明する。
まず、ステップＳ３１（図１３に示すステップ）において、前述の透過画像における輝度が最小である画素の位置に対応する画素を含む反射画像のラベリングした領域を特定する。そして、その特定された反射画像の領域を抽出する。
【００４９】
次に、ステップＳ３２（図１４、図１５に示すステップ）において、抽出した領域内の膜厚分布を算出する。このとき前述した透過画像における輝度が最小である画素を基準として、領域内のすべての画素に対して、反射画像の輝度分布から膜厚変化量を算出する。ただし、図１４に示すように、膜厚変化量を算出する順序はその輝度が最小である画素に隣接した４画素から行う。その次は、それらの画素に隣接した８画素について膜厚変化量を算出するというように、１画素ごと周囲に領域拡大させる順序で行う。その理由は、抽出した領域内に反射画像の干渉縞における極大値または極小値が含まれる場合と、抽出した領域内に膜厚の極大値または極小値が２つ以上ある場合に対応するためである。
【００５０】
膜厚変化量の算出式は図１５に示すとおりである。すなわち、算出対象の画素の透過画像（前述のＳ２において得られた透過画像）の輝度値をＹi、隣接した画素の透過画像（前述のＳ２において得られた透過画像）の輝度値をＹi-1とする。また、算出対象の画素の膜厚変化量をΔＴi、隣接した画素の膜厚変化量をΔＴi-1、算出対象の画素の輝度（前述のＳ１において得られた反射画像）をＸi、隣接した画素の輝度（前述のＳ１において得られた反射画像）をＸi-1、輝度１階調変化時の膜厚変化量をδｔとする。
膜厚変化量の算出式は、Ｙi＜Ｙi-1のときには、ΔＴi＝ΔＴi-1−｜Ｘi−Ｘi-1｜×δｔとなる。
また、Ｙi＞Ｙi-1のときには、ΔＴi＝ΔＴi-1＋｜Ｘi−Ｘi-1｜×δｔとなる。
【００５１】
次に、ステップＳ３３（図１６に示すステップ）において、隣接した領域の膜厚大小判定を行う。前述のステップＳ３１で特定した領域（ラベリングした領域）に隣接した領域を特定する。そして、その特定された反射画像の領域に対応する透過画像の領域を抽出する。これら２つのラベリングした領域の各々について平均輝度値を比較する。隣接した領域の平均輝度値が大きければ、膜厚分布を算出済みの領域よりも膜厚が小さい領域と判定する。反対に、隣接した領域の平均輝度値が小さければ、膜厚分布を算出済みの領域よりも膜厚が大きい領域と判定する。
【００５２】
次に、ステップＳ３４（図１７に示すステップ）において、隣接した領域の膜厚分布を算出する。算出済みの領域に隣接した画素から、ステップＳ３２に示した式を適用して膜厚変化量を算出する。次に、この膜厚変化量の求まった画素に隣接した画素について、ステップ３２と同様に膜厚変化量を算出する。以降、ステップ３２と同様の処理を領域内のすべての画素について繰り返す。
【００５３】
次に、ステップＳ３５（図示せず）において、上記ステップＳ３３〜ステップＳ３４の処理を透過画像の基板上におけるすべての測定対象の領域（ラベリングした領域）において順次行う。
【００５４】
次に、ステップＳ３６（図１８に示すステップ）において、上述のようにして得られた相対的な差異を示す膜厚値の分布から絶対的な膜厚値を得る。そのために、膜厚測定部３において測定した絶対的な膜厚値を適用する。すなわち膜厚測定部３の測定位置と同一の座標における膜厚分布が求まっているため、その膜厚値と膜厚測定部３で測定した膜厚値ｄの偏差αを算出する。算出対象の画素の膜厚変化量をΔＴｉ、膜厚測定部３における測定領域に含まれる測定点の座標に含まれる反射画像における画素数をｍとする。
【００５５】
偏差αは、下記の数１を適用することによって得られる。
【数１】
2005221401.tif 000003
この偏差αは面内のすべての点において同じとみなせるから、残りのすべての点について、Ｔｉ＝ΔＴｉ＋αの数式を適用することにより各画素における膜厚Ｔｉを得ることができる。
【００５６】
上述のステップＳ３１とは異なる方法を適用することができる。図１９に示すように、測定対象１００における基材露出部を基準として膜厚分布を算出する。すなわち、基板周辺部の基材露出部の膜厚を０として、基板周辺部に隣接した領域から膜厚分布の絶対値を算出する。
【００５７】
基板周辺部に隣接した領域が反射画像（反射照明撮像部入力画像）の明部（図１０参照）のときには、この領域における反射画像の輝度最大箇所の膜厚絶対値Ｔは、２ｎＴ／（cosθ'）＝λの関係がある。そこで、図１１において算出した膜厚変化量との関係から、α＝Ｔ−ΔＴの数式を適用して偏差αを算出する。
この偏差αは反射画像の基板面ないのすべての画素において同じ値であるから、残りの領域すべての画素について、Ｔi＝ΔＴi＋αの数式を適用して膜厚絶対値Ｔｉを算出する。
【００５８】
基板周辺部に隣接した領域が反射画像（反射照明撮像部入力画像）の暗部（図１０参照）のときには、この領域における反射画像の輝度最大箇所の膜厚絶対値Ｔは、２ｎＴ／（cosθ'）＝λ／２の関係がある。そこで、図１１において算出した膜厚変化量との関係から、α＝Ｔ−ΔＴの数式を適用して偏差αを算出する。
この偏差αは反射画像の基板面ないのすべての画素において同じ値であるから、残りの領域すべての画素について、Ｔi＝ΔＴi＋αの数式を適用して膜厚絶対値Ｔｉを算出する。
【図面の簡単な説明】
【００５９】
【図１】本発明の膜厚測定方法と膜厚測定装置における構成の一例を示す図である。
【図２】本発明の膜厚測定方法と膜厚測定装置における測定の過程を示すフロー図である。
【図３】反射照明撮像部の構成を絵図として示す図である。
【図４】反射照明撮像部の構成をブロック図として示す図である。
【図５】透過照明撮像部の構成を絵図として示す図である。
【図６】透過照明撮像部の構成をブロック図として示す図である。
【図７】膜厚測定部の構成を絵図として示す図である。
【図８】膜厚測定部の構成をブロック図として示す図である。
【図９】本発明の膜厚測定装置における反射照明撮像部と透過照明撮像部を統合した変形例を示す図である。
【図１０】反射画像（反射照明撮像部入力画像）の干渉縞から明部と暗部を抽出する処理の説明図である。
【図１１】反射画像の干渉縞における輝度から膜厚変化量を算出する処理の説明図である。
【図１２】透過画像（透過照明撮像部入力画像）における膜厚最大箇所を算出する処理の説明図である。
【図１３】反射画像における膜厚分布を算出する処理の説明図（ステップＳ３１）である。
【図１４】反射画像における膜厚分布を算出する処理の説明図（ステップＳ３２その１）である。
【図１５】反射画像における膜厚分布を算出する処理の説明図（ステップＳ３２その２）である。
【図１６】反射画像における膜厚分布を算出する処理の説明図（ステップＳ３３）である。
【図１７】反射画像における膜厚分布を算出する処理の説明図（ステップＳ３４）である。
【図１８】透過画像における膜厚分布を算出する処理の説明図（ステップＳ３６その１）である。
【図１９】透過画像における膜厚分布を算出する処理の説明図（ステップＳ３６その２）である。
【符号の説明】
【００６０】
１  反射照明撮像部
２  透過照明撮像部
３  膜厚測定部
１１，２１，３１，４１ａ，４１ｂ  ラインセンサ
１２，２２，３２  駆動装置
１３，２３  高周波点灯電源
１４  低圧ナトリウムランプ
１５，２５，３５  コロコンベヤ
１６，２６，３６  シーケンサ
１７，２７，３７，４７  ＰＣ
１８，２８，３８，４８  ディスプレイ
２４  蛍光灯
４９ａ  レッドバンドパスフィルター
４９ｂ  シアンフィルター
１００  測定対象
２４１，４４１  白色蛍光灯
２４２，４４２  短波長カットフィルター（感光防止）
【図１】
2005221401.tif 000004
【図２】
2005221401.tif 000005
【図３】
2005221401.tif 000006
【図４】
2005221401.tif 000007
【図５】
2005221401.tif 000008
【図６】
2005221401.tif 000009
【図７】
2005221401.tif 000010
【図８】
2005221401.tif 000011
【図９】
2005221401.tif 000012
【図１０】
2005221401.tif 000013
【図１１】
2005221401.tif 000014
【図１２】
2005221401.tif 000015
【図１３】
2005221401.tif 000016
【図１４】
2005221401.tif 000017
【図１５】
2005221401.tif 000018
【図１６】
2005221401.tif 000019
【図１７】
2005221401.tif 000020
【図１８】
2005221401.tif 000021
【図１９】
2005221401.tif 000022